(57)【要約】【課題】異なった外形寸法を有する水晶片を共通な容器本体の中心位置に配置できるようにして、水晶片の周波数調整を容易にする。【解決手段】セラミック基板を積層して構成した容器本体１と、該容器本体１の内底面に形成した水晶保持端子３ａと、該水晶保持端子３ａに導電性接着剤により水晶片２の引き出し電極２ｂが延出する一端部の両側を片持ち式または両端部の両側を両持ち式で保持した水晶振動子及び発振器において、前記水晶保持端子３ａを前記水晶片２の長辺方向の中心線Ｈ−Ｈに左右対称、かつ大き目の及び小さ目の外形寸法の前記水晶片２を配置できるように形成したことを特徴とする。【選択図】図２
2012169717.tif 000002
【特許請求の範囲】
【請求項１】
セラミック基板を積層して構成した容器本体と、該容器本体の内底面に形成した水晶保持端子と、該水晶保持端子に導電性接着剤により水晶片の引き出し電極が延出する一端部の両側を片持ち式で保持した水晶振動子及び発振器において、
前記水晶保持端子を前記水晶片の長辺方向の中心線に左右対称かつ大き目の及び小さ目の外形寸法の前記水晶片を配置できるように形成したことを特徴とする水晶振動子及び発振器。
【請求項２】
前記水晶保持端子を前記水晶片の長辺方向の中心線に左右対称な一対の矩形状に形成したことを特徴とする請求項１に記載の水晶振動子及び発振器。
【請求項３】
前記水晶保持端子を前記水晶片の長辺方向の中心線に左右対称、かつ前記容器本体の中心線に向かって階段状に形成したことを特徴とする請求項１に記載の水晶振動子及び発振器。
【請求項４】
前記水晶保持端子を前記水晶片の長辺方向の中心線に左右対称な一対の矩形状に形成し、かつ該矩形の一辺を前記容器本体の中心線と前記水晶片の長辺方向の中心線との交点に向かって斜めにカットして形成したことを特徴とする請求項１に記載の水晶振動子及び発振器。
【請求項５】
セラミック基板を積層して構成した容器本体と、該容器本体の内底面に形成した水晶保持端子と、該水晶保持端子に導電性接着剤により水晶片の引き出し電極が延出する両端部の両側を両持ち式で保持した水晶振動子及び発振器において、
前記水晶保持端子を前記水晶片の長辺方向の中心線に左右対称かつ前記水晶片の対角線上に大き目の及び小さ目の外形寸法の前記水晶片を配置できるように形成したことを特徴とする水晶振動子及び発振器。
【請求項６】
前記水晶保持端子を前記水晶片の長辺方向の中心線に左右対称かつ前記水晶片の対角線上に一対の矩形状に形成したことを特徴とする請求項５に記載の水晶振動子及び発振器。
【請求項７】
前記水晶保持端子を前記水晶片の長辺方向の中心線に左右対称かつ前記水晶片の対角線上に前記容器本体の中心線に向かって階段状に形成したことを特徴とする請求項５に記載の水晶振動子及び発振器。
【請求項８】
前記水晶保持端子を前記水晶片の長辺方向の中心線に左右対称な一対の矩形状に形成し、かつ該矩形の長辺の一辺を前記容器本体の中心線と前記水晶片の中心線との交点に向かって斜めにカットして形成したことを特徴とする請求項５に記載の水晶振動子及び発振器。
【請求項９】
セラミック基板を積層して構成した容器本体と、該容器本体の内底面に形成した水晶保持端子と、該水晶保持端子に導電性接着剤により水晶片の引き出し電極が延出する両端部の両側を両持ち式で保持した水晶振動子及び発振器において、
前記水晶保持端子を前記水晶片の長辺方向の中心線上に対向し、かつ大き目の及び小さ目の外形寸法の前記水晶片を配置できるように形成したことを特徴とする水晶振動子及び発振器。
【請求項１０】
前記水晶保持端子を前記水晶片の長辺方向の中心線上に対向して一対の矩形状に形成したことを特徴とする請求項９に記載の水晶振動子及び発振器。
【請求項１１】
前記水晶保持端子を前記水晶片の長辺方向の中心線上に対向して、かつ前記容器本体の中心線に向かって階段状に形成したことを特徴とする請求項９に記載の水晶振動子及び発振器。
【請求項１２】
前記水晶保持端子を前記水晶片の長辺方向の中心線上に対向して一対の矩形状に形成し、かつ該矩形の長辺の一辺を前記容器本体の中心線と前記水晶片の中心線との交点に向かって斜めにカットして形成したことを特徴とする請求項９に記載の水晶振動子及び発振器。
【発明の詳細な説明】
【技術分野】
【０００１】
本発明は、表面実装用水晶振動子及び発振器に係り、特に異なった大きさの水晶片を共通の容器本体内に収納し、かつ、周波数調整を容易にした表面実装用水晶振動子及び発振器に関する。
【背景技術】
【０００２】
従来の水晶振動子は、図１４（ａ）、（ｂ）に示すように、複数のセラミック基板１ａ，１ｂを積層して容器本体１を構成し、容器本体１の内底面１ｄに一対の水晶保持端子３を設け、この水晶保持端子３に、導電性接着剤４により、両主面に励振電極２ａを形成した水晶片２の引き出し電極２ｂが延出した一端部両側を水晶保持端子３により保持するとともに、容器本体１の外底面１ｅに複数の外部端子７を装着し、さらに容器本体１の上端面に設けたシールリング５に金属カバー６を、シーム溶接して水晶片２を容器本体１ｃ内に密閉・封入して構成されている。
【先行技術文献】
【特許文献】
【０００３】
【特許文献１】特開２００７−１７３９７５号公報
【発明の概要】
【発明が解決しようとする課題】
【０００４】
しかしながら、異なった外形寸法（大きさ）の水晶片（ブランク）２に対して同一外形寸法の容器本体１を共通して使用すると、図１５（ａ）、（ｂ）に示すように、例えば、小さい外形寸法の水晶片２を容器本体１に搭載しようとすると、一対の水晶保持端子３が同一外形寸法であると共に、容器本体１の同じ個所に水晶保持端子３を配設してあるため、容器本体１の中心Ｃ−Ｃから、かなりずれた個所に小さい外形寸法の水晶片２が配設されてしまう。そのため、水晶片２の主面に形成した励振電極２ａにアルゴンガス等をガンから当てて、その周波数調整をしようとすると、水晶片２の中心（振動偏移の中心）から、ガンの中心が大きくそれてしまい、異なった大きさの水晶片２を、処理するごとにガンを移動させて、その中心を水晶片２の中心Ｃ−Ｃに合わせることが必要となり、水晶振動子の製造の際の生産性が極めて悪くなる問題点があった。
【課題を解決するための手段】
【０００５】
上記した課題を解決するために、本発明の水晶振動子及び発振器では、大小外形寸法の異なった水晶片を共通の容器本体に搭載出来るように、所定の大きさの水晶保持端子をメッキ等により容器本体の内底面に形成する。
【０００６】
すなわち、本発明の第１形態では、セラミック基板を積層して構成した容器本体と、該容器本体の内底面に形成した水晶保持端子と、該水晶保持端子に導電性接着剤により水晶片の引き出し電極が延出する一端部の両側を片持ち式で保持した水晶発振器において、前記水晶保持端子を前記水晶片の長辺方向の中心線に左右対称かつ大き目の及び小さ目の外形寸法の前記水晶片を配置できるように形成する。
【０００７】
また、第１形態では、前記水晶保持端子を前記水晶片の長辺方向の中心線に左右対称な一対の矩形状に形成する。
【０００８】
さらに、第１形態では、前記水晶保持端子を前記水晶片の長辺方向の中心線に左右対称、かつ前記容器本体の中心線に向かって階段状に形成する。
【０００９】
またさらに、第１形態では、前記水晶保持端子を前記水晶片の長辺方向の中心線に左右対称な一対の矩形状に形成し、かつ該矩形の一辺を前記容器本体の中心線と前記水晶片の長辺方向の中心線との交点に向かって斜めにカットして形成する。
【００１０】
本発明の第２形態では、セラミック基板を積層して構成した容器本体と、該容器本体の内底面に形成した水晶保持端子と、該水晶保持端子に導電性接着剤により水晶片の引き出し電極が延出する両端部の両側を両持ち式で保持した水晶振動子及び発振器において、前記水晶保持端子を前記水晶片の長辺方向の中心線に左右対称かつ前記水晶片の対角線上に大き目の及び小さ目の外形寸法の前記水晶片を配置できるように形成する。
【００１１】
また、第２形態では、前記水晶保持端子を前記水晶片の長辺方向の中心線に左右対称かつ前記水晶片の対角線上に一対の矩形状に形成する。
【００１２】
さらには、第２形態では、前記水晶保持端子を前記水晶片の長辺方向の中心線に左右対称かつ前記水晶片の対角線上に前記容器本体の中心線に向かって階段状に形成する。
【００１３】
またさらに、第２形態では、前記水晶保持端子を前記水晶片の長辺方向の中心線に左右対称な一対の矩形状に形成し、かつ該矩形の長辺の一辺を前記容器本体の中心線と前記水晶片の中心線との交点に向かって斜めにカットして形成する。
【００１４】
本発明の第３形態では、セラミック基板を積層して構成した容器本体と、該容器本体の内底面に形成した水晶保持端子と、該水晶保持端子に導電性接着剤により水晶片の引き出し電極が延出する両端部の両側を両持ち式で保持した水晶振動子及び発振器において、前記水晶保持端子を前記水晶片の長辺方向の中心線上に対向し、かつ大き目の及び小さ目の外形寸法の前記水晶片を配置できるように形成する。
【００１５】
また、第３形態では、前記水晶保持端子を前記水晶片の長辺方向の中心線上に対向して一対の矩形状に形成する。
【００１６】
さらに、第３形態では、前記水晶保持端子を前記水晶片の長辺方向の中心線上に対向して、かつ前記容器本体の中心線に向かって階段状に形成する。
【００１７】
またさらに、第３形態では、前記水晶保持端子を前記水晶片の長辺方向の中心線上に対向して一対の矩形状に形成し、かつ該矩形の長辺の一辺を前記容器本体の中心線と前記水晶片の中心線との交点に向かって斜めにカットして形成する。
【発明の効果】
【００１８】
異なった外形寸法の水晶片を保持できる共通の水晶保持端子を用いることにより、同一共通寸法の容器本体の短辺方向の中心線上に常に水晶片を保持できるので水晶片の周波数調整が容易になるとともに、水晶振動子及び発振器の生産性が大幅に向上する。
【図面の簡単な説明】
【００１９】
【図１】本発明の水晶振動子に、大きい外形寸法の水晶片を片持ち式で搭載し、金属カバーをシールリングにシーム溶接し、容器本体内に水晶片を密閉・封入した状態を示す縦断面図である。
【図２】図１に示した本発明の水晶振動子を、金属カバーを取り外して上から見た、大きい外形寸法の水晶片（仮想線で示す）を片持ち式で搭載した本発明の水晶発振器の実施例の平面図を示し、  （ａ）は一対の平面視形状が矩形状の水晶保持端子を、また（ｂ）は一対の平面視形状が階段状の水晶保持端子を、さらに（ｃ）は平面視形状を斜め状にカットした水晶保持端子を、それぞれ容器本体の内底面に形成した平面図である。
【図３】本発明の水晶振動子に、小さい外形寸法の水晶片を片持ち式で搭載し、金属カバーをシールリングにシーム溶接し容器本体内に水晶片を密閉・封入した状態を示す縦断面図である。
【図４】図３に示した本発明の水晶振動子を、金属カバーを取り外して上から見た、小さい外形寸法の水晶片（仮想線で示す）を搭載した本発明の水晶振動子の実施例の平面図を示し、図２と同様に（ａ）は一対の矩形状の水晶保持端子を、また（ｂ）は一対の階段状の水晶保持端子を、さらに（ｃ）は斜め状にカットした水晶保持端子を、それぞれ容器本体の内底面に形成した平面図である。
【図５】本発明の水晶振動子を表面実装用水晶発振器に適用したものの縦断面図である。
【図６】本発明の水晶振動子に、大きい外形寸法の水晶片を両持ち式で搭載し、金属カバーをシールリングにシーム溶接し容器本体内に水晶片を密閉・封入した状態を示す縦断面図である。
【図７】図６に示した本発明の水晶振動子を、金属カバーを取り外して上から見た大きい外形寸法の水晶片（仮想線で示す）を両持ち式で搭載した本発明の水晶振動子の実施例の平面図を示し、（ａ）は一対の矩形状の水晶保持端子を水晶片の対角線方向に、また、（ｂ）は一対の階段状の水晶保持端子を水晶片の対角線方向に、さらに、（ｃ）は一対の斜め状にカットした水晶保持端子を水晶片の対角線方向にそれぞれ容器本体の内底面に形成した平面図である。
【図８】本発明の水晶振動子に小さい外形寸法の水晶片を両持ち式で搭載し、金属カバーをシールリングにシーム溶接し容器本体内に水晶片を密閉・封入した状態を示す縦断面図である。
【図９】図８に示した本発明の水晶振動子の、金属カバーを取り外して上から見た小さい外形寸法の水晶片（仮想線で示す）を両持ち式で搭載した本発明の水晶振動子の実施例の平面図を示し、（ａ）は一対の矩形状の水晶保持端子を水晶片の対角線方向に、また、（ｂ）は一対の階段状の水晶保持端子を水晶片の対角線方向に、さらに、（ｃ）は一対の斜め状にカットした水晶保持端子を、それぞれ水晶片の対角線方向に、容器本体の内底面に形成した平面図である。
【図１０】本発明の水晶振動子に大きい外形寸法、かつ横長の水晶片を両持ち式で搭載し、金属カバーをシールリングにシーム溶接し容器本体内に密閉・封入した状態を示す縦断面図である。
【図１１】図１０に示した本発明の水晶振動子の、金属カバーを取り外して見た大きい外形寸法、かつ横長の水晶片（仮想線で示す）を両持ち式で搭載した本発明の水晶振動子の実施例の平面図を示し、（ａ）は一対の矩形状の水晶保持端子を水晶片の長辺方向に対向して、また、（ｂ）は一対の階段状の水晶保持端子を水晶片の長辺方向に対向して、さらに、（ｃ）は一対の斜め状にカットした水晶保持端子を水晶片の長辺方向に対向して、それぞれ容器本体の内底面に形成した平面図である。
【図１２】本発明の水晶振動子に小さい外形寸法、かつ横長の水晶片を両持ち式で搭載し、金属カバーをシールリングにシーム溶接し容器本体内に密閉・封入した状態を示す縦断面図である。
【図１３】図１２に示した本発明の水晶振動子の、金属カバーを取り外して見た小さい外形寸法、かつ横長の水晶片（仮想線で示す）を両持ち式で搭載した本発明の水晶振動子の実施例の平面図を示し、（ａ）は一対の矩形状の水晶保持端子を水晶片の長辺方向に対向して、また、（ｂ）は一対の階段状の水晶保持端子を水晶片の長辺方向に対向して、さらに、（ｃ）は一対の斜め状にカットした水晶保持端子を水晶片の長辺方向に対向して、それぞれ容器本体の内底面に形成した平面図である。
【図１４】（ａ）は従来の水晶振動子を金属カバーを取り外して上から見た、大きい外形寸法の水晶片（仮想線で示す）を搭載した水晶振動子の平面図、（ｂ）は大きい外形寸法の水晶片を容器本体内に収納し、金属カバーを被せて密閉・封入した水晶振動子の縦断面図である。
【図１５】（ａ）は従来の水晶振動子を金属カバーを取り外して上から見た、小さい外形寸法の水晶片（仮想線で示す）を搭載した平面図、（ｂ）は小さい外形寸法の水晶片を容器本体内に収納し、金属カバーを被せて密閉・封入した水晶振動子の縦断面図である。
【発明を実施するための形態】
【００２０】
実施例１
図１及び図３に示すように、本発明の実施例１の水晶振動子は、セラミック基板１ａ，１ｂを、例えば、２枚積層して構成した容器本体１と、容器本体１の内底面１ｄに水晶保持端子３を、例えば、金メッキにより形成し、この水晶保持端子３により導電性接着剤４を介して水晶片２の引き出し電極２ｂが延出する一端部の両側を片持ち式で保持する。また、容器本体１の外底面１ｅに外部（実装）端子７を装着する。
【００２１】
さらに、容器本体１の上端面にシールリング５を固着し、このシールリング５の上端面に金属カバー６をシーム溶接により装着して、水晶片２を容器本体１の凹部１ｃ内に密閉・封入する。
【００２２】
本発明の実施例１の水晶振動子では、図２及び図４に示すように、大き目の外形寸法の水晶片２と小さ目の外形寸法の水晶片２の両方を保持できる大きさの外形寸法を有する水晶保持端子３ａ〜３ｃを金メッキにより容器本体１の内底面１ｄに形成する。
【００２３】
特に、本発明の水晶振動子では、水晶片２の振動偏移の中心（励振電極の形成位置により多少異なるが、水晶片の略中心に相当する）が容器本体１の中心線Ｃ−Ｃ上に来るようになる。そのため、同一外形寸法の容器本体１を大き目の外形寸法の水晶片２と小さ目の外形寸法の水晶片２に利用しても、常に、水晶片２の振動偏移の中心が容器本体１の中心線Ｃ−Ｃ上に位置するようになる。そのため、スパッターリング等により水晶片２の励振電極２ａの厚みを加除して水晶片２の周波数調整する際、周波数調整に用いるガンの中心が常に水晶片の振動偏移の中心に位置するようになるので、異なった外形寸法の水晶片の周波数調整を行う場合、その都度、ガンを移動調節して振動偏移の中心に合わせることが不要となる。
【００２４】
そのため、本発明の水晶振動子では、図２及び図４に示すように、容器本体１の内底面１ｄに、水晶片２の引き出し電極２ｂ側の一端部に水晶片２の長辺方向の中心線Ｈ−Ｈに左右対称な一対の矩形状３ａ、容器本体１の中心線Ｃ−Ｃに向かって階段状３ｂ、または、矩形の長辺を容器本体の中心線Ｃ−Ｃと水晶片２の長辺方向の中心線Ｈ−Ｈの交点ｏに向けてカットした斜め状３ｃ、の水晶保持端子３ａ〜３ｃを金メッキ等により形成する。
【００２５】
この様に水晶保持端子３ａ〜３ｃを同一外形寸法の容器本体１の内底面１ｄに形成することにより、図２及び図４に示すように、常に水晶片２の振動偏移の中心が容器本体の中心線Ｃ−Ｃ上に位置するようになる。
【００２６】
また、本発明の水晶振動子は、図５に示すように、容器本体１をセラミック基板１ａ〜１ｃを、例えば３枚、積層して断面がＨ型になるように形成して、２部屋構造とし、一方の部屋に水晶片２を密閉・封入するとともに、他方の部屋にＩＣチップ８をバンプ９を介して設け、発振回路を配設して、表面実装用水晶発振器を構成することも出来る。
【００２７】
実施例２
図６と図８に示すように、本発明の実施例２の水晶振動子は、前出の実施例１の水晶振動子と同様に、セラミック基板１ａ，１ｂを、例えば、２枚積層して構成した容器本体１と、容器本体１の内底面１ｄに一対の水晶保持端子３を、例えば金メッキにより形成し、これらの水晶保持端子３により導電性接着剤４を介して水晶片２の引き出し電極２ｂが延出する水晶片２の両端部の両側を両持ち式で保持する。また、容器本体１の外底面１ｃに外部（実装）端子７を装着する。
【００２８】
さらに、容器本体１の上端面にシールリング５を固着し、このシールリング５の上端面に金属カバー６をシーム溶接により装着して、水晶片２を容器本体１内に密閉・封入する。
【００２９】
本発明の実施例２の水晶振動子では、図７と図９に示すように、大き目の外形寸法の水晶片２と小さ目の外形寸法の水晶片２の両方を保持できる大きさの外形寸法をもつ一対の水晶保持端子３ａ〜３ｃを、金メッキにより容器本体１の内底面１ｄに形成する。
【００３０】
本発明の実施例２の水晶振動子でも、水晶片２の振動偏移の中心が実施例２の水晶振動子と同様に、容器本体１の中心線Ｃ−Ｃ上に来るようになる。そのため、同一外形寸法の容器本体１を大き目の外形寸法の水晶片２と小さ目の外形寸法の水晶片２に利用しても、常に、水晶片２の振動偏移の中心が容器本体１の中心線Ｃ−Ｃ上に位置するようになるので、スパッターリング等により水晶片２の励振電極２ａの厚みを加除して水晶片２の周波数調整する際、ガンの中心が常に水晶片２の振動偏移の中心に位置するようになるので、前出の実施例１と同様に、異なった外形寸法の水晶片２の周波数調整を行う場合、その都度、ガンを移動調節して振動偏移の中心に合わせることが不要となる。
【００３１】
そのため、本発明の実施例２の水晶振動子では、図７及び図９に示すように、容器本体１の内底面１ｄに、水晶片２の引き出し電極２ｂ側の両端側の両側に、一対の矩形状の水晶保持端子を水晶片２の対角線方向に（（ａ）参照）、また、一対の階段状の水晶保持端子を水晶片２の対角線方向に（（ｂ）参照）、さらに、一対の斜め状に交点ｏに向けてカットした水晶保持端子を水晶片２の対角線方向に（（ｃ）参照）、それぞれ容器本体１の内底面１ｄに形成する。
【００３２】
実施例３
図１０及び図１１ならびに図１２及び図１３に示すように、大きい外形寸法及び小さい外形寸法、かつ横長の水晶片２を両持ち式で容器本体１に、前出の実施例１と同様に搭載し、一対の矩形状の水晶保持端子３ａを水晶片２の長辺方向に対向して（ａ）、また、一対の階段状の水晶保持端子３ｂを水晶片２の長辺方向に対向して（ｂ）、さらに、一対の斜め状にカットした水晶保持端子３ｃを水晶片２の長辺方向に対向して（ｃ）、容器本体１の内底面１ｄに金メッキにより形成する。
【符号の説明】
【００３３】
１  容器本体
１ａ  セラミック基板
１ｂ  セラミック基板
１ｃ  容器本体の凹部
２  水晶片
３ａ〜３ｃ  水晶保持端子
４  導電性接着剤
５  シールリング
６  金属カバー
７  外部端子
【図１】
2012169717.tif 000003
【図２】
2012169717.tif 000004
【図３】
2012169717.tif 000005
【図４】
2012169717.tif 000006
【図５】
2012169717.tif 000007
【図６】
2012169717.tif 000008
【図７】
2012169717.tif 000009
【図８】
2012169717.tif 000010
【図９】
2012169717.tif 000011
【図１０】
2012169717.tif 000012
【図１１】
2012169717.tif 000013
【図１２】
2012169717.tif 000014
【図１３】
2012169717.tif 000015
【図１４】
2012169717.tif 000016
【図１５】
2012169717.tif 000017